(57)【要約】【課題】固定極面の不平等電界を軽減して、火花放電を発生しにくくし、また、火花放電が発生しやすい状況下でも、放電電流を制限することによって火花放電を防止する。【解決手段】支持リングに張設された振動板１０と、スペーサ部材を介して振動板１０と対向配置され、音を通すための多数の音孔２１１を有する固定極板２０とを備えているコンデンサヘッドホンユニットにおいて、固定極板２０に、少なくとも音孔２１１の開口端部２１１ｂを含み、音孔２１の内面２１１ａから振動板１０と対向する面２１０側にかけて短繊維４１を静電植毛してなるパイル層４０を形成する。【選択図】図３
2010273241.tif 000002
【特許請求の範囲】
【請求項１】
支持リングに所定の張力をもって張設された振動板と、スペーサ部材を介して上記振動板と対向配置され、音を通すための多数の孔を有する固定極板とを備えているコンデンサヘッドホンユニットにおいて、
上記固定極板には、少なくとも上記孔の開口端部を含み、上記孔の内面から上記振動板と対向する面側にかけて短繊維を静電植毛したパイル層が形成されていることを特徴とするコンデンサヘッドホンユニット。
【請求項２】
上記パイル層には静電気防止用としての界面活性剤が塗布されていることを特徴とする請求項１に記載のコンデンサヘッドホンユニット。
【請求項３】
上記パイル層が導電性繊維で形成されていることを特徴とする請求項１に記載のコンデンサヘッドホンユニット。
【請求項４】
上記パイル層には絶縁皮膜が設けられていることを特徴とする請求項１ないし３のいずれか１項に記載のコンデンサヘッドホンユニット。
【発明の詳細な説明】
【技術分野】
【０００１】
本発明は、コンデンサヘッドホンユニットに関し、さらに詳しく言えば、固定極面の不平等電界を軽減して火花放電の発生を抑える技術に関するものである。
【背景技術】
【０００２】
コンデンサヘッドホンは、振動板と固定極板とをスペーサを介して対向的に配置してなる静電型音響変換器としてのコンデンサヘッドホンユニットを備えている。コンデンサヘッドホンユニットにおいて、振動板は固定極板との間で生ずる静電引力，斥力で駆動される。固定極板に加える電圧が約１００Ｖｒｍｓ（実効値）で約１００ｄＢＳＰＬの音圧を得ることができる。
【０００３】
通常、固定極板には、多数の音孔（通気孔）が穿設された金属板が用いられるが、回路基板（銅張り積層基板）から構成される場合もある。
【０００４】
コンデンサヘッドホンユニットにおいて、音声出力レベルの安定性を保つためには、固定極板の表面を平坦にし、振動板との間隔を均一に保つことが重要であるが、大きな音圧を出す場合、固定極板に高い電圧が印加されるため、特に音孔の開口端部であるエッジ部分で火花放電が発生し、その熱によって振動板が焼損することがある。
【０００５】
この焼損現象は、振動板として、樹脂フィルムの片面に金属蒸着膜を形成してなる振動板が用いられる場合に、より多く発生する傾向にある。
【０００６】
この点を考慮して、特許文献１に記載された発明では、振動板を例えばＰＥＴ（ポリエチレンテレフタレート）やＰＰＳ（ポリフェニレンサルファイド）などの厚さ約１．２μｍ程度の高分子フィルムとし、その少なくとも一方の面（固定極板と対向する側の面）に界面活性剤からなる導電皮膜を形成し、さらに導電皮膜の上に絶縁皮膜を形成するようにしている。
【０００７】
これによれば、振動板側で誘発される火花放電を軽減することができるが、固定極板側の音孔の開口端部であるエッジ部分では、電界の集中により依然として火花放電が発生する。
【０００８】
固定極板の表面に絶縁皮膜を形成しても、音孔の開口端部であるエッジ部分の電界集中は防止できない。また、振動板側の絶縁皮膜は厚さ０．１μｍ程度であるため、高湿度環境下での結露する状況においては、振動板の導電皮膜と固定極との間に成極電圧（約４００Ｖ）の漏洩電流が発生し、これが原因で雑音が生じる。
【先行技術文献】
【特許文献】
【０００９】
【特許文献１】特開２００６−４１５６７公報
【発明の概要】
【発明が解決しようとする課題】
【００１０】
したがって、本発明の課題は、コンデンサヘッドホンユニットにおいて、固定極面の不平等電界を軽減して、火花放電を発生しにくくし、また、火花放電が発生しやすい状況下でも、放電電流を制限することによって火花放電を防止することにある。
【課題を解決するための手段】
【００１１】
上記課題を解決するため、本発明は、支持リングに所定の張力をもって張設された振動板と、スペーサ部材を介して上記振動板と対向配置され、音を通すための多数の孔を有する固定極板とを備えているコンデンサヘッドホンユニットにおいて、上記固定極板には、少なくとも上記孔の開口端部を含み、上記孔の内面から上記振動板と対向する面側にかけて短繊維を静電植毛したパイル層が形成されていることを特徴としている。
【００１２】
本発明において、上記パイル層には界面活性剤が塗布されていることが好ましい。また、上記パイル層を導電性繊維で形成してもよい。いずれの場合にしても、上記パイル層に絶縁被膜が設けられるとよい。
【発明の効果】
【００１３】
本発明によれば、固定極板の音孔の開口端部を覆うように、孔の内面から振動板と対向する面側にかけて、例えばナイロンやレーヨンなどの短繊維を静電植毛したパイル層を形成したことにより、音孔の開口端部に短繊維によるＲ（丸み）が付けられ、電界が集中しにくくなる。
【００１４】
また、パイル層には適度な電気抵抗があるため、Ｒ部を含めてパイル層が固定極面として作用するとともに、火花放電が発生しやすい状況下でも、パイル層が電流制限抵抗として作用し、火花放電の発生が抑えられる。また、パイル層に絶縁皮膜を形成することにより、より効果的に火花放電の発生が抑えられる。
【図面の簡単な説明】
【００１５】
【図１】本発明の実施形態に係るコンデンサヘッドホンユニットを示す模式的な断面図。
【図２】上記コンデンサヘッドホンユニットにおける固定極板を示す正面図。
【図３】上記コンデンサヘッドホンユニットの要部を示す拡大断面図。
【発明を実施するための形態】
【００１６】
次に、図１ないし図３により、本発明の実施形態について説明するが、この実施形態は本発明を限定するものではない。
【００１７】
図１に示すように、このコンデンサヘッドホンユニット１には、振動板１０と固定極板２０とが対向的に配置されているが、振動板１０は、金属製の支持リング１１によって所定の張力をもって張設された状態で電気絶縁性のスペーサリング３０を介して固定極板２０と対向的に組み合わされる。
【００１８】
詳しくは図示しないが、振動板１０には、特許文献１に記載されているのと同じく、例えばＰＥＴ（ポリエチレンテレフタレート）やＰＰＳ（ポリフェニレンサルファイド）などの厚さ１．２μ程度の高分子フィルムに、界面活性剤からなる導電皮膜と、絶縁溶剤からなる絶縁皮膜とを積層状に形成した振動板が好ましく採用されるが、樹脂フィルムからなる薄膜基材に金属蒸着膜が形成された振動板が用いられてもよい。
【００１９】
この実施形態において、固定極板２０は、図２に示すように、円盤状のプリント基板２１からなる。図３を併せて参照して、プリント基板２１は片面銅張り積層基板で、振動板１０と対向する中央部分には、銅箔よりなる固定電極部２１０が形成されている。固定電極部２１０には、多数の音孔（音を通すための孔）２１１が穿設されている。
【００２０】
なお、この実施形態において、固定電極部２１０の周りには、電気絶縁領域２３０を介して周辺電極部２２０が環状に形成されている。一例として、周辺電極部２２０は、図示しない導通手段を介して例えば振動板１０の支持リングに接続され、振動板１０の引出電極として用いられてよい。
【００２１】
本発明によると、図３に示すように、固定極板２０には、音孔２１１の内面２１１ａから音孔２１１の開口端部であるほぼ直角のエッジ部分２１１ｂを含み固定電極部２１０の表面にかけてパイル層４０が形成されている。
【００２２】
パイル層４０は、図示しない導電性接着剤を介して短繊維４１を静電植毛することにより形成される。一例として、短繊維４１には、好ましくはナイロンパイル１．７デシックス（長さ０．５ｍｍ）が用いられる。
【００２３】
静電植毛によれば、短繊維４１は、被植毛面に対してほぼ直立した状態で植設されるため、音孔２１１のほぼ直角のエッジ部分２１１ｂには、図３に示すように、植毛された短繊維４１によりＲ（丸み）が付けられ、電界が集中しくしにくくなる。
【００２４】
加えて、静電植毛時には電界強度の高まる部分（上記エッジ部分２１１ｂ）に、その電界強度に応じてより多くの短繊維４１が付着するため、上記エッジ部分２１１ｂに電界がより集中しくしにくくなる。
【００２５】
静電植毛をした後、好ましくは、短繊維４１よりなるパイル層４０の電気抵抗値を調整する。例えば、コルコート社製の界面活性剤系静電防止剤「コルコート２００（商品名）」を塗布することにより、パイル層４０の表面抵抗を１０８〜１０９Ωに調整する。
【００２６】
なお、短繊維４１として、当初から例えばニッセン社製の導電繊維「ドリーマロン」（抵抗値１０２〜１０７Ω）を用いてもよい。
【００２７】
その後、火花放電のもとになる放電電流を流れにくくするため、パイル層４０に、例えばアイ・エヌ・ジー社製の「フロロバリアーＦＰ−１０５４（商品名）」を塗布して、好ましくは０．１μｍ厚以下の絶縁皮膜を形成する。
【００２８】
なお、上記施形態に係るコンデンサヘッドホンユニット１では、振動板１０の片側にのみ固定極板２０を配置しているが、振動板１０の両側に固定極板２０を配置したプッシュプル型のコンデンサヘッドホンユニットも本発明に含まれる。
【符号の説明】
【００２９】
１０  振動板
１１  支持リング
２０  固定極板
２１  プリント基板
２１０  固定電極部
２１１  音孔
２１１ａ  内面
２１１ｂ  開口端部（エッジ部分）
３０  スペーサリング
４０  パイル層
４１  短繊維（パイル）
【図１】
2010273241.tif 000003
【図２】
2010273241.tif 000004
【図３】
2010273241.tif 000005